【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
ユーザ機器装置上にメディアアセットを提示する方法であって、前記方法は、
メディアアセットに対するユーザリクエストを受信することと、
前記リクエストされたメディアアセットが、少なくとも１つの代替バージョンで利用可能かどうかを決定することであって、前記代替バージョンは、リクエストされたバージョンではない、ことと、
前記リクエストされたメディアアセットが、前記少なくとも１つの代替バージョンで利用可能であると決定することに応答して、前記リクエストされたメディアアセットに、画面上バージョンのトグルオプションを提示することであって、前記画面上バージョンのトグルオプションは、ユーザによって選択可能である、ことと
を含む、方法。
【請求項２】
前記画面上バージョンのトグルオプションのユーザ選択の指示を受信することと、
前記指示に応答して、前記少なくとも１つの代替バージョンのうちの１つを提示することと
をさらに含む、請求項１に記載の方法。
【請求項３】
前記少なくとも１つの代替バージョンは、標準解像度バージョン、高解像度バージョン、ドルビーデジタルサウンドの高解像度バージョン、Ｈ．２６４バージョン、未編集バージョン、子供用に編集されたバージョン、および広告用に編集されたバージョンから成る群より選択される、請求項１に記載の方法。
【請求項４】
前記リクエストされたメディアアセットが少なくとも１つの代替バージョンで利用可能であるかどうかを決定することは、前記ユーザ機器装置上に保存されたソースマッピングテーブルを読み取ることと、前記ユーザ機器装置からリモートのコンテンツまたはデータソースにクエリすることとのうちの少なくとも１つを含む、請求項１に記載の方法。
【請求項５】
前記ユーザ機器装置が前記少なくとも１つの代替バージョンをサポートするかどうかを決定することをさらに含む、請求項１に記載の方法。
【請求項６】
前記リクエストされたメディアアセットは、放送テレビ番組、録画番組、オンデマンド番組、ペイパービュー番組、およびデジタル音楽から成る群より選択される、請求項１に記載の方法。
【請求項７】
前記ユーザ機器装置上で前記少なくとも１つの代替バージョンのうち少なくとも１つをバッファすることをさらに含む、請求項１に記載の方法。
【請求項８】
前記指示を受信することに応答して、前記少なくとも１つの代替バージョンのうち少なくとも１つをバッファすることをさらに含む、請求項２に記載の方法。
【請求項９】
ユーザ機器装置上にメディアアセットを提示するシステムであって、前記システムは、
ユーザ入力デバイスと、
制御回路と
を備え、前記制御回路は、
前記ユーザ入力デバイスから、メディアアセットに対するユーザリクエストを受信することと、
前記リクエストされたメディアアセットが、少なくとも１つの代替バージョンで利用可能であるかどうかを決定することであって、前記代替バージョンは前記リクエストされたバージョンではない、ことと、
前記リクエストされたメディアアセットが前記少なくとも１つの代替バージョンで視聴可能であると決定することに応答して、前記リクエストされたメディアアセットに、画面上バージョンのトグルオプションを提示することであって、前記画面上バージョンのトグルオプションは、ユーザによって選択可能である、ことと
を実行するように構成された、システム。
【請求項１０】
前記制御回路は、
前記ユーザ入力デバイスから、前記画面上バージョンのトグルオプションのユーザ選択の指示を受信することと、
前記指示を受信することに応答して、前記少なくとも１つの代替バージョンのうちの１つを提示することと
を実行するようにさらに構成される、請求項９に記載のシステム。
【請求項１１】
前記少なくとも１つの代替バージョンは、標準解像度バージョン、高解像度バージョン、ドルビーデジタルサウンドの高解像度バージョン、Ｈ．２６４バージョン、未編集バージョン、子供用に編集されたバージョン、および広告用に編集されたバージョンから成る群より選択される、請求項９に記載のシステム。
【請求項１２】
前記制御回路は、ソースマッピングテーブルの前記リクエストされたアセットを参照することと、前記ユーザ機器装置からリモートのコンテンツまたはデータソースにクエリすることとのうちの少なくとも１つによって、前記リクエストされたメディアアセットが少なくとも１つの代替バージョンで利用可能であるかどうかを決定するように構成される、請求項９に記載のシステム。
【請求項１３】
前記制御回路は、前記ユーザ機器装置が前記少なくとも１つの代替バージョンをサポートするかどうかを決定するように、さらに構成される、請求項９に記載のシステム。
【請求項１４】
前記リクエストされるメディアアセットは、放送テレビ番組、録画番組、オンデマンド番組、ペイパービュー番組、およびデジタル音楽から成る群より選択される、請求項９に記載のシステム。
【請求項１５】
前記制御回路は、前記ユーザ機器装置上で前記少なくとも１つの代替バージョンのうち少なくとも１つをバッファするようにさらに構成される、請求項９に記載のシステム。
【請求項１６】
前記制御回路は、前記指示を受信することに応答して、前記少なくとも１つの代替バージョンのうち少なくとも１つをバッファするようにさらに構成される、請求項１０に記載のシステム。
【手続補正２】
【補正対象書類名】明細書
【補正対象項目名】００１３
【補正方法】変更
【補正の内容】
【００１３】
一部の実施形態においては、ユーザプロファイルを作成してユーザ機器または他の場所に保存することができる。ユーザプロファイルは、多様なバージョン視聴選好を含むことができる。例えば、ユーザは、メディアシステムで視聴可能な場合、ユーザのプロファイルに、一定のアセットは常に特定のバージョンまたは形式（例えば、常にＨＤ、ＳＤまたはＡＶＣ／Ｈ．２６４エンコード形式）で提示すべきであるということを指示することができる。ユーザは、メディアアセットを、タイトル、ジャンル、時間、チャンネル、メディアタイプまたは他の任意の適切な条件（または条件の組み合わせ）によって指定することができる。例えば、ユーザは、午後５時以降、常にスポーツコンテンツをＨＤで視聴して、常にニュースをＳＤで視聴すると望むことができる。ユーザのプロファイルに適当な選択を行うことによって、スポーツまたはニュースジャンル（例えば、メディアガイダンスアプリケーションデータによって決定されるように）のコンテンツは、視聴可能な場合、指定されたバージョンまたは形式で提示される。
例えば、本発明は以下の項目を提供する。
（項目１）
ユーザ機器装置上にメディアアセットを提示する方法であって、
メディアアセットに対するユーザリクエストを受信することと、
上記リクエストされたメディアアセットが、少なくとも１つの代替バージョンで視聴可能かどうかを判断することであって、上記代替バージョンは、リクエストされたバージョンではない、ことと、
上記リクエストされたメディアアセットが、上記少なくとも１つの代替バージョンで視聴可能であるという判断に応答して、上記リクエストされたメディアアセットに、画面上バージョンのトグルオプションを提示することであって、上記画面上バージョンのトグルオプションは、ユーザによって選択可能である、ことと
を含む、方法。
（項目２）
上記画面上バージョンのトグルオプションのユーザ選択の指示を受信することと、
上記指示に応答して、上記少なくとも１つの代替バージョンのうちの１つを提示することと
をさらに含む、項目１に記載の方法。
（項目３）
上記少なくとも１つの代替バージョンは、標準解像度バージョン、高解像度バージョン、ドルビーデジタルサウンドの高解像度バージョン、Ｈ２６４バージョン、未編集バージョン、子供用に編集されたバージョン、および広告用に編集されたバージョンから成る群より選択される、項目１に記載の方法。
（項目４）
上記リクエストされたメディアアセットが少なくとも１つの代替バージョンで視聴可能であるかどうかを判断することは、ユーザ機器装置上に保存されたソースマッピングテーブルを読み取ることを含む、項目１に記載の方法。
（項目５）
上記リクエストされたメディアアセットが少なくとも１つの代替バージョンで視聴可能であるかどうかを判断することは、上記ユーザ機器装置からリモートのコンテンツまたはデータソースにクエリすることを含む、項目１に記載の方法。
（項目６）
上記ユーザ機器装置が上記少なくとも１つの代替バージョンをサポートするかどうかを判断することをさらに含む、項目１に記載の方法。
（項目７）
上記リクエストされたメディアアセットに上記画面上バージョンのトグルオプションを提示することは、表示画面の情報領域に上記画面上バージョンのトグルオプションを提示することを含む、項目１に記載の方法。
（項目８）
上記リクエストされたメディアアセットに上記画面上バージョンのトグルオプションを提示することは、上記リクエストされたアセットの上部に上記画面上バージョンのトグルオプションを提示することを含む、項目１に記載の方法。
（項目９）
上記リクエストされたメディアアセットに上記画面上バージョンのトグルオプションを提示することは、オーバーレイに上記画面上バージョンのトグルオプションを提示することを含む、項目１に記載の方法。
（項目１０）
上記リクエストされるメディアアセットは、放送テレビ番組、録画番組、オンデマンド番組、有料（ｐａｙ−ｐｅｒ−ｖｉｅｗ）番組、およびデジタル音楽から成る群より選択される、項目１に記載の方法。
（項目１１）
上記ユーザ機器装置上で上記少なくとも１つの代替バージョンのうち少なくとも１つをバッファすることをさらに含む、項目１に記載の方法。
（項目１２）
上記指示を受信することに応答して、上記少なくとも１つの代替バージョンのうち少なくとも１つをバッファすることをさらに含む、項目２に記載の方法。
（項目１３）
ユーザ機器装置上にメディアアセットを提示するシステムであって、
ユーザ入力デバイスと、
制御回路であって、
上記ユーザ入力デバイスから、メディアアセットに対するユーザリクエストを受信することと、
上記リクエストされたメディアアセットが、少なくとも１つの代替バージョンで視聴可能であるかどうかを判断することであって、上記代替バージョンは上記リクエストされたバージョンではない、ことと、
上記リクエストされたメディアアセットが上記少なくとも１つの代替バージョンで視聴可能であるという判断に応答して、上記リクエストされたメディアアセットに、画面上バージョンのトグルオプションを提示することであって、上記画面上バージョンのトグルオプションは、ユーザによって選択可能である、ことと
を実行するように構成された制御回路と
を含む、システム。
（項目１４）
上記制御回路は、
上記ユーザ入力デバイスから、上記画面上バージョンのトグルオプションのユーザ選択の指示を受信し、
上記指示の受信に応答して、上記少なくとも１つの代替バージョンのうちの１つを提示するようにさらに構成される、項目１３に記載のシステム。
（項目１５）
上記少なくとも１つの代替バージョンは、標準解像度バージョン、高解像度バージョン、ドルビーデジタルサウンドの高解像度バージョン、Ｈ２６４バージョン、未編集バージョン、子供用に編集されたバージョン、および広告用に編集されたバージョンから成る群より選択される、項目１３に記載のシステム。
（項目１６）
上記制御回路は、ソースマッピングテーブルの上記リクエストされたアセットを参照することによって、上記リクエストされたメディアアセットが少なくとも１つの代替バージョンで視聴可能であるかどうかを判断するように構成される、項目１３に記載のシステム。
（項目１７）
上記制御回路は、上記ユーザ機器装置からリモートのコンテンツまたはデータソースにクエリすることによって、上記リクエストされたメディアアセットが少なくとも１つの代替バージョンで視聴可能であるかどうかを判断するように構成される、項目１３に記載のシステム。
（項目１８）
さらに上記制御回路は、上記ユーザ機器装置が上記少なくとも１つの代替バージョンをサポートするかどうかを判断するように、さらに構成される、項目１３に記載のシステム。
（項目１９）
上記制御回路は、上記画面上バージョンのトグルオプションを表示画面の情報領域に提示することによって、上記リクエストされたメディアアセットに上記画面上バージョンのトグルオプションを提示するように構成される、項目１３に記載のシステム。
（項目２０）
上記制御回路は、上記リクエストされたアセットの上部に上記画面上バージョンのトグルオプションを提示することによって、上記リクエストされたメディアアセットに上記画面上バージョンのトグルオプションを提示するように構成される、項目１３に記載のシステム。
（項目２１）
上記制御回路は、上記画面上バージョンのトグルオプションをオーバーレイに提示することによって、上記リクエストされたメディアアセットに上記画面上バージョンのトグルオプションを提示するように構成される、項目１３に記載のシステム。
（項目２２）
上記リクエストされるメディアアセットは、放送テレビ番組、録画番組、オンデマンド番組、有料（ｐａｙ−ｐｅｒ−ｖｉｅｗ）番組、およびデジタル音楽から成る群より選択される、項目１３に記載のシステム。
（項目２３）
さらに上記制御回路は、上記ユーザ機器装置上で上記少なくとも１つの代替バージョンのうち少なくとも１つをバッファするようにさらに構成される、項目１３に記載のシステム。
（項目２４）
上記制御回路は、上記指示を受信することに応答して、上記少なくとも１つの代替バージョンのうち少なくとも１つをバッファするようにさらに構成される、項目１４に記載のシステム。